(57)【特許請求の範囲】
【請求項１】
流体送達システム用のコネクタアセンブリであって、前記コネクタアセンブリが、
内部空洞および排出口を規定する円錐状本体であって、前記排出口は、前記内部空洞と流体連通する内側通路を規定し、且つ、半径方向外側に向かって延在するフランジを有する排出先端を備える、円錐状本体；および
前記排出口に取り外し可能に取り付けることが可能なコネクタであって、前記コネクタは、遠位端部及び近位端部を有する中心本体を含み、前記近位端部が、前記コネクタが前記排出口に取り付けられるときに前記排出口の前記内側通路内に少なくとも部分的に位置決めされるように構成され、前記コネクタは、前記中心本体に接続されかつ前記排出口の外面に解放可能に係合するように構成された環状コネクタリングをさらに含み、前記中心本体は、前記コネクタが前記排出口に取り付けられるとき、前記中心本体内に、前記円錐状本体の前記内部空洞と流体連通する内側チャンネルを規定する、コネクタ
を含む、コネクタアセンブリであって、
前記環状コネクタリングが、
２つの長軸頂点と、
２つの短軸頂点と、
半径方向及び近位方向に延在する少なくとも２つのアームであって、各アームが、前記中心本体に接続される第１の端部と、前記短軸頂点のうちの１つに接続される第２の端部と、を有する、アームと、
前記短軸頂点の半径方向内側に向かって延在する少なくとも２つのフランジであって、前記コネクタが前記排出口に取り付けられるときに、前記排出口の前記排出先端の前記半径方向外側に向かって延在するフランジに解放可能に係合し、且つ、前記長軸頂点を前記中心本体に向かって内側へ押圧することで前記環状コネクタリングを曲げることによって前記排出口の前記排出先端の前記半径方向外側に向かって延在するフランジから取り外し可能である、半径方向内側に向かって延在するフランジと、
を備える、コネクタアセンブリ。
【請求項２】
前記コネクタが前記排出口に取り付けられるとき、前記コネクタの前記中心本体が、前記排出口の遠位端部を越えて延在する遠位部分と、前記排出口の前記内側通路内に位置決めされる近位部分とを規定する、請求項１に記載のコネクタアセンブリ。
【請求項３】
前記コネクタの前記中心本体の近位部分が、前記排出口の前記内側通路の形状に対応するような輪郭に形成されている、請求項１に記載のコネクタアセンブリ。
【請求項４】
前記中心本体が、前記中心本体の近位端部に規定された狭小先端を含み、前記狭小先端は、前記内側通路に延在しかつ前記円錐状本体の内部表面と実質的に同一平面で終端するように構成されている、請求項１に記載のコネクタアセンブリ。
【請求項５】
前記中心本体の前記内側チャンネルの一部分が、チューブ要素に解放可能に係合するように構成されたルアー継手を規定する、請求項１に記載のコネクタアセンブリ。
【請求項６】
流体送達システム用のキャップ−ブラダーおよびコネクタアセンブリであって、前記キャップ−ブラダーおよびコネクタアセンブリが、
内部空洞および排出口を規定するキャップ本体であって、前記排出口は、前記内部空洞と流体連通する内側通路を規定し、且つ、半径方向外側に向かって延在するフランジを有する排出先端を備える、キャップ本体；
前記キャップ本体の前記内部空洞内に配置されかつ前記キャップ本体の内側面に接続されたディスク形状のブラダー；および
前記排出口に取り外し可能に取り付けることが可能なコネクタであって、前記コネクタは、遠位端部及び近位端部を有する中心本体を含み、前記近位端部が、前記コネクタが前記排出口に取り付けられるときに前記排出口の前記内側通路内に少なくとも部分的に位置決めされるように構成され、前記コネクタは、前記中心本体に接続されかつ前記排出口の外面に解放可能に係合するように構成された環状コネクタリングをさらに含み、前記中心本体は、前記コネクタが前記排出口に取り付けられるとき、前記中心本体内に、前記キャップ本体の前記内部空洞と流体連通する内側チャンネルを規定する、コネクタ
を含む、キャップ−ブラダーおよびコネクタアセンブリであって、
前記環状コネクタリングが、
２つの長軸頂点と、
２つの短軸頂点と、
半径方向及び近位方向に延在する少なくとも２つのアームであって、各アームが、前記中心本体に接続される第１の端部と、前記短軸頂点のうちの１つに接続される第２の端部と、を有する、アームと、
前記短軸頂点の半径方向内側に向かって延在する少なくとも２つのフランジであって、前記コネクタが前記排出口に取り付けられるときに、前記排出口の前記排出先端の前記半径方向外側に向かって延在するフランジに解放可能に係合し、且つ、前記長軸頂点を前記中心本体に向かって内側へ押圧することで前記環状コネクタリングを曲げることによって前記排出口の前記排出先端の前記半径方向外側に向かって延在するフランジから取り外し可能である、半径方向内側に向かって延在するフランジと、
を備える、キャップ−ブラダーおよびコネクタアセンブリ。
【請求項７】
前記コネクタが前記排出口に取り付けられるとき、前記コネクタの前記中心本体が、前記排出口の遠位端部を越えて延在する遠位部分と、前記排出口の前記内側通路内に位置決めされる近位部分とを規定する、請求項６に記載のキャップ−ブラダーおよびコネクタアセンブリ。
【請求項８】
前記コネクタの前記中心本体の近位部分が、前記排出口の前記内側通路の形状に対応するような輪郭に形成されている、請求項６に記載のキャップ−ブラダーおよびコネクタアセンブリ。
【請求項９】
前記中心本体が、前記中心本体の近位端部に規定された狭小先端を含み、前記狭小先端は、前記内側通路に延在しかつ前記キャップ本体の内部表面と実質的に同一平面で終端するように構成されている、請求項６に記載のキャップ−ブラダーおよびコネクタアセンブリ。
【請求項１０】
近位端部と遠位端部との間に延在しかつそれらの間に内側通路を規定する側壁と、排出口とを含む第１のコネクタ要素であって、前記排出口が、半径方向外側に向かって延在するフランジを有する排出先端を有する、第１のコネクタ要素；および
前記第１のコネクタ要素に取り外し可能に取り付けることが可能な第２のコネクタ要素であって、前記第２のコネクタ要素は、遠位端部及び近位端部を有する中心本体を含み、前記近位端部が、前記第２のコネクタ要素が前記排出口に取り付けられるときに前記第１のコネクタ要素の前記内側通路内に少なくとも部分的に位置決めされるように構成され、前記第２のコネクタ要素は、前記中心本体に接続された環状コネクタリングをさらに含み、前記環状コネクタリングは、前記排出口の前記排出先端の前記半径方向外側に向かって延在するフランジの外面に解放可能に係合するように構成されており、前記中心本体は、前記第２のコネクタ要素が前記第１のコネクタ要素に取り付けられているとき、前記中心本体内に、前記第１のコネクタ要素の前記内側通路と流体連通する内側チャンネルを規定する、第２のコネクタ要素
を含むコネクタアセンブリであって、
前記環状コネクタリングが、
２つの長軸頂点と、
２つの短軸頂点と、
半径方向及び近位方向に延在する少なくとも２つのアームであって、各アームが、前記中心本体に接続される第１の端部と、前記短軸頂点のうちの１つに接続される第２の端部と、を有する、アームと、
前記短軸頂点の半径方向内側に向かって延在する少なくとも２つのフランジであって、前記第２のコネクタ要素が前記排出口に取り付けられるときに、前記排出口の前記排出先端の前記半径方向外側に向かって延在するフランジに解放可能に係合し、且つ、前記長軸頂点を前記中心本体に向かって内側へ押圧することで前記環状コネクタリングを曲げることによって前記排出口の前記排出先端の前記半径方向外側に向かって延在するフランジから取り外し可能である、半径方向内側に向かって延在するフランジと、
を備える、コネクタアセンブリ。
【請求項１１】
前記第２のコネクタ要素が前記第１のコネクタ要素に取り付けられているとき、前記第２のコネクタ要素の前記中心本体が、前記第１のコネクタ要素の前記遠位端部を越えて延在する遠位部分と、前記内側通路内に位置決めされる近位部分とを規定する、請求項１０に記載のコネクタアセンブリ。
【請求項１２】
前記第２のコネクタ要素の前記中心本体の近位部分が、前記第１のコネクタ要素の前記内側通路の形状と対応するような輪郭に形成されている、請求項１０に記載のコネクタアセンブリ。
【請求項１３】
前記中心本体が、前記中心本体の近位端部に規定された狭小先端を含み、前記狭小先端は、前記内側通路に延在しかつ前記第１のコネクタ要素の前記近位端部と実質的に同一平面で終端するように構成されている、請求項１０に記載のコネクタアセンブリ。
【請求項１４】
前記第１のコネクタ要素の前記側壁が、近位方向に面した当接面を有する少なくとも１つの追加的なフランジを規定し、前記少なくとも１つの追加的なフランジは、前記遠位端部のフランジの近位に規定されている、請求項１０に記載のコネクタアセンブリ。
【請求項１５】
内部空洞および排出口を規定する流体ポンプ装置であって、前記排出口は、前記内部空洞と流体連通する内側通路を規定し、且つ、半径方向外側に向かって延在するフランジを有する排出先端を備える、流体ポンプ装置；および
前記排出口に取り外し可能に取り付けることが可能なコネクタであって、前記コネクタは、遠位端部及び近位端部を有する中心本体を含み、前記近位端部が、前記コネクタが前記排出口に取り付けられるときに前記排出口の前記内側通路内に少なくとも部分的に位置決めされるように構成され、前記コネクタは、前記中心本体に接続されかつ前記排出口の前記排出先端の前記半径方向外側に向かって延在するフランジに解放可能に係合するように構成された環状コネクタリングを含み、前記中心本体は、前記コネクタが前記排出口に取り付けられるとき、前記中心本体内に、前記流体ポンプ装置の前記内部空洞と流体連通する内側チャンネルを規定する、コネクタ
を含む流体送達システムであって、
前記環状コネクタリングが、
２つの長軸頂点と、
２つの短軸頂点と、
半径方向及び近位方向に延在する少なくとも２つのアームであって、各アームが、前記中心本体に接続される第１の端部と、前記短軸頂点のうちの１つに接続される第２の端部と、を有する、アームと、
前記短軸頂点の半径方向内側に向かって延在する少なくとも２つのフランジであって、前記コネクタが前記排出口に取り付けられるときに、前記排出口の前記排出先端の前記半径方向外側に向かって延在するフランジに解放可能に係合し、且つ、前記長軸頂点を前記中心本体に向かって内側へ押圧することで前記環状コネクタリングを曲げることによって前記排出口の前記排出先端の前記半径方向外側に向かって延在するフランジから取り外し可能である、半径方向内側に向かって延在するフランジと、
を備える、流体送達システム。
【発明の詳細な説明】
【技術分野】
【０００１】
本開示は、医療分野に関し、より詳細には、シリンジおよび／またはコネクタの全てまたは一部が一度使用された後で廃棄され得る、医療分野において使用される、使い捨てシリンジおよびコネクタに関する。
【背景技術】
【０００２】
医療分野において使用されるシリンジは、一般に使い捨てであり、かつ一度使用された後で廃棄されることは、周知である。これらのシリンジは、通常、筒と、筒で往復運動するように装着されたプランジャーとを含み、両部分とも、通常、プラスチック材料製である。使い捨てシリンジは、一般に、大量生産方法、例えば射出成形によって作製されるが、そのような使い捨てシリンジは、それらの製造に関わる材料および精密さゆえに、比較的高価である。
【０００３】
そのような使い捨てシリンジは、一般に、１つ以上の流体出口および入口を含み、これらの出口および入口は、シリンジの筒の内部を、１つ以上の治療用または試験用流体源、流体を投与する患者、および１つ以上の流体廃棄物用容器と流体連通させて配置する。入口／出口は、シリンジの筒と一体的に形成され、かつ入口／出口には、滅菌のためにキャップが取り外し可能に取り付けられ得る。一般に、キャップおよび入口／出口は、標準的なねじルアーまたは同様の構成を備えて形成され、入口／出口を流体セットのチューブ要素と接続できるようにする。しかしながら、そのような標準的なルアー係合部は、技術者または使用者が、長くて扱いにくいかもしれないチューブ要素を、シリンジの入口／出口に組み立てるのに多くの時間をかけることを必要とし、およびこれらの係合部を分解するためにはさらに多くの時間がかかる可能性もある。これにより、流体送達システムの使用毎に要する準備時間および所要時間が長くなり、それゆえ、流体送達システムおよびその設備全体の使用回数を少なくする。さらに、ねじルアー係合部を備えるプラスチック部品の製造は、材料コストを増大し得る。なぜなら、キャップやシリンジは、ねじルアーアダプターがそれに一体的に形成されて成形される必要があるためである。キャップおよび／またはシリンジは、一般に、一回の使用後に廃棄され、流体送達システムを使用する患者当たりのコストが高くなる。
【先行技術文献】
【特許文献】
【０００４】
【特許文献１】米国特許第５，３８３，８５８号明細書
【特許文献２】米国特許第５，８７３，８６１号明細書
【特許文献３】米国特許第６，６５２，４８９号明細書
【特許文献４】米国特許出願第１３／４５３，３３５号明細書
【特許文献５】米国特許第７，５４０，８５６号明細書
【特許文献６】米国特許出願第１３／８３４，６２４号明細書
【特許文献７】国際出願第ＰＣＴ／ＵＳ２０１２／０５６３６４号明細書
【特許文献８】第ＰＣＴ／ＵＳ２０１２／０５６３２８号明細書
【特許文献９】第ＰＣＴ／ＵＳ２０１２／０５６３５５号明細書
【特許文献１０】米国特許第７，０９４，２１６号明細書
【特許文献１１】米国特許第７，５５６，６１９号明細書
【特許文献１２】米国特許第８，３３７，４５６号明細書
【特許文献１３】米国特許第８，１４７，４６４号明細書
【特許文献１４】米国特許出願公開第２００８／００８６０８７号明細書
【特許文献１５】米国特許第５，３８３，８５８号明細書
【特許文献１６】米国特許第７，４６２，１６６号明細書
【特許文献１７】米国特許出願公開第２０１２／０１２３２５７号明細書
【特許文献１８】米国特許出願公開第２００４／００６４０４１号明細書
【特許文献１９】米国特許出願公開第２００５／０１１３７５４号明細書
【特許文献２０】米国特許出願第１３／７５５，８８３号明細書
【特許文献２１】米国特許出願公開第２００９／０２１６１９２号明細書
【発明の概要】
【発明が解決しようとする課題】
【０００５】
その結果、当業界では、キャップの排出口および／または流体送達システムのシリンジの筒に対してチューブ要素を迅速にかつ効果的に接続かつ分離し、および流体送達システムの使用中に生成された流体圧力に耐えることができるコネクタが一般的に必要とされている。さらに、そのようなコネクタの使用によって、シリンジの使い捨て部品の製造コスト全体を削減する必要がある。
【課題を解決するための手段】
【０００６】
本開示の実施形態によれば、流体送達システム用のキャップ−ブラダーおよびルアーアセンブリが提供される。アセンブリは、内部空洞とキャップ本体の外面に配置された排出口とを規定する内側面を有するキャップ本体を含むキャップ；キャップ本体の内部空洞内に配置されかつキャップ本体の内側面に動作可能に接続されるディスク形状のブラダーであって、膜部分を含むディスク形状のブラダー；およびキャップの排出口に取り外し可能に取り付けられたスナップルアーコネクタを含む。排出口は、遠位端部と、キャップ本体の外面に接続された近位端部との間に延在する側壁を含み、側壁は、キャップ本体を通って延在する排出オリフィスによって内部空洞と流体連通する内側通路を規定する。スナップルアーコネクタは、側壁を有しかつ排出口の内側通路内に少なくとも部分的に位置決めされるように構成された中心本体と、中心本体に接続されかつ排出口の側壁に解放可能に係合するように構成されたコネクタ部分とを含み、中心本体の側壁は、スナップルアーコネクタが排出口に取り付けられるとき、中心本体内に、キャップ本体の内部空洞と流体連通する内側チャンネルを規定する。
【０００７】
スナップルアーコネクタの中心本体の側壁は、中心本体の遠位端部から中心本体の近位端部まで延在し、かつ、スナップルアーコネクタが排出口に取り付けられるとき、排出口の遠位端部を越えて延在する遠位部分と、排出口の内側通路内に位置決めされる近位部分とを規定し得る。中心本体の内側チャンネルは、中心本体の遠位端部から中心本体の近位端部まで延在し得る。スナップルアーコネクタの中心本体の近位部分の側壁は、排出口の内側通路の形状に対応するような輪郭に形成され得る。スナップルアーコネクタの中心本体は、中心本体の近位端部に規定された狭小先端を含み、狭小先端は、キャップの排出オリフィスまで延在しかつキャップの内部表面と同一平面で終端するように構成されている。スナップルアーコネクタの中心本体の遠位部分における内側チャンネルの一部分は、チューブ要素に解放可能に係合するように構成された雌ルアー継手を規定し得る。
【０００８】
さらなる実施形態では、スナップルアーコネクタのコネクタ部分は、中心本体に接続されかつ中心本体の近位部分を囲む楕円形コネクタリングを含む。楕円形コネクタリングは、対向する２つの長軸頂点と、対向する２つの短軸頂点とを有する。楕円形コネクタリングは、中心本体の遠位部分と楕円形コネクタリングの短軸頂点の一方との間にそれぞれ延在する少なくとも２つの半径方向にかつ近位方向に延在するアームによって、中心本体の遠位部分に接続される。排出口の側壁は、排出口の遠位端部に規定された円錐状先端を含み、円錐状先端は、排出口の側壁を囲む、近位方向に面した当接面を有するフランジを規定する。スナップルアーコネクタの楕円形コネクタリングは、楕円形コネクタリングの短軸頂点に位置決めされた少なくとも２つの半径方向内側に延在するフランジを含み、半径方向内側に延在するフランジは、スナップルアーコネクタが排出口に取り付けられるとき、排出口の円錐状先端のフランジの当接面と係合する、遠位方向に面した当接面を規定する。排出口の円錐状先端の当接面、および楕円形コネクタリングの半径方向内側に延在するフランジは、楕円形コネクタリングの長軸頂点を互いの方へ押圧することによって、係合解除されるように構成されている。
【０００９】
本開示の別の実施形態では、流体送達システム用のブラダーシリンジおよびルアーコネクタが提供される。ブラダーシリンジおよびルアーコネクタはシリンダー状本体を含み、シリンダー状本体は、遠位端部および近位端部を有し、かつ貫通孔と、シリンダー状本体の遠位端部への接続に適したキャップ−ブラダーアセンブリとを規定する。キャップ−ブラダーアセンブリは、内部空洞を規定する内側面と、キャップ本体の外面に配置された排出口とを有するキャップ本体を含むキャップ、およびキャップ本体の内部空洞内に配置されかつキャップ本体の内側面に動作可能に接続されるディスク形状のブラダーであって、膜部分を含むディスク形状のブラダーを含む。ブラダーシリンジおよびルアーコネクタはまた、シリンダー状本体の貫通孔に配置されたプランジャー要素と、キャップの排出口に取り外し可能に取り付けられたスナップルアーコネクタとを含む。プランジャー要素の一部分およびブラダーの膜部分は、インタラクティブすなわち相互に作用するような形状にされている。キャップの排出口は、遠位端部と、キャップ本体の外面に接続された近位端部との間に延在する側壁を含み、側壁は、キャップ本体を通って延在する排出オリフィスによって、内部空洞と流体連通する内側通路を規定する。スナップルアーコネクタは、側壁を有しかつ排出口の内側通路内に少なくとも部分的に位置決めされるように構成された中心本体と、中心本体に接続されかつ排出口の側壁に解放可能に係合するように構成されたコネクタ部分とを含み、中心本体の側壁は、スナップルアーコネクタが排出口に取り付けられるとき、中心本体内に、キャップ本体の内部空洞と流体連通する内側チャンネルを規定する。
【００１０】
本開示のさらに別の実施形態によれば、流体送達システム用のブラダーシリンジにチューブ要素を解放可能に接続する方法が提供される。方法は、ブラダーシリンジを提供するステップを含む。ブラダーシリンジはシリンダー状本体を含み、シリンダー状本体は、遠位端部および近位端部を有し、かつ貫通孔と、シリンダー状本体の遠位端部への接続に適したキャップ−ブラダーアセンブリとを規定する。キャップ−ブラダーアセンブリは、内部空洞を規定する内側面と、キャップ本体の外面に配置された排出口とを有するキャップ本体を含むキャップ、およびキャップ本体の内部空洞内に配置されかつキャップ本体の内側面に動作可能に接続されたディスク形状のブラダーであって、膜部分を含むディスク形状のブラダーを含む。ブラダーシリンジはまた、シリンダー状本体の貫通孔に配置されたプランジャー要素を含む。キャップの排出口は、遠位端部と、キャップ本体の外面に接続された近位端部との間に延在する側壁を含み、側壁は、キャップ本体を通って延在する排出オリフィスによって、内部空洞と流体連通する内側通路を規定し、および、排出口は、さらに、排出口の遠位端部に規定された円錐状先端を含み、円錐状先端は、排出口の側壁を囲む、近位方向に面した当接面を有するフランジを規定する。方法はまた、側壁と、中心本体に接続されかつそれを囲む楕円形コネクタリングとを有する中心本体を含むスナップコネクタを提供するステップを含み、中心本体の側壁は、中心本体内に内側チャンネルを規定する。楕円形コネクタリングは、対向する２つの長軸頂点と、対向する２つの短軸頂点とを有し、および少なくとも２つの半径方向内側に延在するフランジは、楕円形コネクタリングの短軸頂点に位置決めされ、半径方向内側に延在するフランジは、遠位方向に面した当接面を規定する。方法は、さらに、スナップコネクタの中心本体の内側チャンネルの一部分にチューブ要素を挿入して、チューブ要素を中心本体に解放可能に接続するステップ；スナップコネクタの中心本体の一部分を排出口の内側通路内に位置決めして、スナップコネクタの中心本体の内側チャンネルがキャップ本体の内部空洞と流体連通するようにするステップ；および排出口の円錐状先端のフランジの当接面を、楕円形コネクタリングの半径方向内側に延在するフランジの当接面と係合して、スナップコネクタをキャップの排出口に接続するステップを含む。
【００１１】
方法は、さらに、長軸頂点において、楕円形保持リングを内側に押圧して、排出口の円錐状先端のフランジの当接面から、半径方向内側に延在するフランジの当接面を係合解除し、排出口からスナップコネクタを分離するステップを含み得る。
【００１２】
さらなる実施形態によれば、流体送達システム用のコネクタアセンブリが提供される。コネクタアセンブリは、内部空洞および排出口を規定する円錐状本体であって、排出口は、内部空洞と流体連通する内側通路を規定する、円錐状本体；および排出口に取り外し可能に取り付けられたコネクタであって、コネクタは、排出口の内側通路内に少なくとも部分的に位置決めされるように構成された中心本体を含み、および中心本体に接続されかつ排出口の外面に解放可能に係合するように構成された環状コネクタ部分を含み、中心本体は、コネクタが排出口に取り付けられるとき、中心本体内に、円錐状本体の内部空洞と流体連通する内側チャンネルを規定する、コネクタを含む。
【００１３】
コネクタが排出口に取り付けられるとき、コネクタの中心本体は、排出口の遠位端部を越えて延在する遠位部分と、排出口の内側通路内に位置決めされる近位部分とを規定する。コネクタの中心本体の近位部分は、排出口の内側通路の形状に対応するような輪郭に形成され得る。中心本体は、中心本体の近位端部に規定された狭小先端を含み、狭小先端は、内側通路に延在しかつ円錐状本体の内部表面と実質的に同一平面で終端するように構成され得る。中心本体にある内側チャンネルの一部分は、チューブ要素に解放可能に係合するように構成されたルアー継手を規定し得る。環状コネクタ部分は、中心本体に接続されかつ中心本体を囲むリングを含み得る。リングは、楕円形であり、かつ対向する２つの長軸頂点と、対向する２つの短軸頂点とを有し得る。リングは、中心本体の遠位部分とリングの短軸頂点の一方との間にそれぞれ延在する少なくとも２つの半径方向にかつ近位方向に延在するアームによって、中心本体の遠位部分に接続され得る。排出口の側壁は、排出口の遠位端部に規定された円錐状先端を含み、円錐状先端は、排出口の側壁を囲む、近位方向に面した当接面を有するフランジを規定する。スナップコネクタの楕円形コネクタリングは、楕円形コネクタリングの短軸頂点に位置決めされた少なくとも２つの半径方向内側に延在するフランジを含み、半径方向内側に延在するフランジは、スナップコネクタが排出口に取り付けられるとき、排出口の円錐状先端のフランジの当接面と係合する、遠位方向に面した当接面を規定し得る。排出口の円錐状先端の当接面、および楕円形コネクタリングの半径方向内側に延在するフランジは、楕円形コネクタリングの長軸頂点を互いの方へ押圧することによって、係合解除されるように構成され得る。
【００１４】
さらなる実施形態によれば、流体送達システム用のキャップ−ブラダーおよびコネクタアセンブリが提供される。キャップ−ブラダーおよびコネクタアセンブリは、内部空洞と排出口とを規定するキャップ本体であって、排出口は、内部空洞と流体連通する内側通路を規定するキャップ本体；キャップ本体の内部空洞内に配置されかつキャップ本体の内側面に接続されたディスク形状のブラダー；および排出口に取り外し可能に取り付けられたコネクタであって、コネクタは、排出口の内側通路内に少なくとも部分的に位置決めされるように構成された中心本体を含み、および中心本体に接続されかつ排出口に解放可能に係合するように構成された環状コネクタ部分を含み、中心本体は、コネクタが排出口に取り付けられるとき、中心本体内に、円錐状本体の内部空洞と流体連通する内側チャンネルを規定する、コネクタを含む。
【００１５】
コネクタが排出口に取り付けられるとき、コネクタの中心本体は、排出口の遠位端部を越えて延在する遠位部分と、排出口の内側通路内に位置決めされる近位部分とを規定し得る。コネクタの中心本体の近位部分は、排出口の内側通路の形状に対応するような輪郭に形成され得る。中心本体は、中心本体の近位端部に規定された狭小先端を含み、狭小先端は、内側通路に延在しかつ円錐状本体の内部表面と実質的に同一平面で終端するように構成され得る。環状コネクタ部分は、中心本体に接続されかつ中心本体を囲むリングを含み得る。リングは、楕円形であり、かつ対向する２つの長軸頂点と、対向する２つの短軸頂点とを有し得る。リングは、中心本体の遠位部分とリングの短軸頂点の一方との間にそれぞれ延在する少なくとも２つの半径方向にかつ近位方向に延在するアームによって、中心本体の遠位部分に接続され得る。
【００１６】
別の実施形態によれば、コネクタアセンブリが提供される。コネクタアセンブリは、近位端部と遠位端部との間に延在する側壁を含み、かつそれらの間に内側通路を規定する第１のコネクタ要素；および第１のコネクタ要素に取り外し可能に取り付けられた第２のコネクタ要素であって、第２のコネクタ要素は、第１のコネクタ要素の内側通路内に少なくとも部分的に位置決めされるように構成された中心本体を含み、および中心本体に接続された環状コネクタ部分を含み、環状コネクタ部分は、第２のコネクタ要素が第１のコネクタ要素に取り付けられているとき、第１のコネクタ要素の側壁の外面に解放可能に係合するように構成されており、中心本体は、第２のコネクタ要素が第１のコネクタ要素に取り付けられているとき、中心本体内に、第１のコネクタ要素の内側通路と流体連通する内側チャンネルを規定する、第２のコネクタ要素を含み得る。
【００１７】
第２のコネクタ要素が第１のコネクタ要素に取り付けられているとき、第２のコネクタ要素の中心本体は、第１のコネクタ要素の遠位端部を越えて延在する遠位部分と、内側通路内に位置決めされる近位部分とを規定し得る。第２のコネクタ要素の中心本体の近位部分は、第１のコネクタ要素の内側通路の形状と対応するような輪郭に形成され得る。中心本体は、中心本体の近位端部に規定された狭小先を含み、狭小先端は、内側通路に延在しかつ第１のコネクタ要素の近位端部と実質的に同一平面で終端するように構成され得る。環状コネクタ部分は、中心本体を取り囲むリングを含み、およびリングは、楕円形であり、かつ対向する２つの長軸頂点と、対向する２つの短軸頂点とを有し得る。リングは、中心本体の遠位部分とリングの短軸頂点の一方との間にそれぞれ延在する少なくとも２つの半径方向にかつ近位方向に延在するアームによって、中心本体の遠位部分に接続され得る。第１のコネクタ要素の側壁は、近位方向に面した当接面を有する遠位端部フランジを規定し、かつ第２のコネクタ要素のリングは、リングの短軸頂点に位置決めされた、少なくとも２つの半径方向内側に延在するフランジを含み、半径方向内側に延在するフランジは、第２のコネクタ要素が第１のコネクタ要素に接続されるとき、遠位フランジの当接面と係合する、遠位方向に面した当接面を規定し得る。リングの半径方向内側に延在するフランジの当接面は、リングの長軸頂点を互いの方へ押圧することによって、遠位端部フランジの近位方向に面した当接面から係合解除されるように構成され得る。第１のコネクタ要素の側壁は、近位方向に面した当接面を有する少なくとも１つの追加的なフランジを規定し、少なくとも１つの追加的なフランジは、遠位端部フランジの近位に規定され得る。
【００１８】
別の実施形態によれば、コネクタアセンブリを使用する、流体送達システム用の流路を解放可能に確立する方法が提供される。方法は、内部空洞と、円錐状本体から遠位方向に延在しかつ排出オリフィスを規定する排出口とを規定する内側面を有する円錐状本体を提供するステップであって、排出口は、内部空洞と流体連通する内側通路を規定する側壁を含むステップ；および排出口にスナップコネクタを解放可能に接続するステップであって、スナップコネクタは、側壁を有しかつ排出口の内側通路内に少なくとも部分的に位置決めされるように構成された中心本体を含み、および中心本体に接続されかつ排出口の側壁に解放可能に係合するように構成されたコネクタ部分を含み、中心本体の側壁は、スナップコネクタが排出口に取り付けられたとき、中心本体内に、円錐状本体の内部空洞と流体連通する内側チャンネルを規定するステップを含む。
【００１９】
コネクタ部分は、中心本体に接続されかつそれを囲むコネクタリングを含んでもよく、コネクタリングは、遠位方向に面した当接面を規定する少なくとも２つの半径方向内側に延在するフランジを含み、排出口は、かみ合って対になる当接面を規定するかみ合いフランジを含み、および方法は、さらに、排出口の内側通路内にスナップコネクタの中心本体の一部分を位置決めして、スナップコネクタの中心本体の内側チャンネルが、キャップ本体の内部空洞と流体連通するようにするステップ；および排出口のかみ合いフランジのかみ合い当接面を、コネクタリングの半径方向内側に延在するフランジの当接面と係合させて、スナップコネクタをキャップの排出口に接続するステップを含む。コネクタリングは、楕円形であり、かつ対向する２つの長軸頂点と、対向する２つの短軸頂点とを有してもよく、および方法は、さらに、長軸頂点において楕円形コネクタリングを内側に押圧して、半径方向内側に延在するフランジの当接面を排出口のかみ合いフランジのかみ合い当接面から係合解除し、排出口からスナップコネクタを分離するステップを含み得る。
【００２０】
別の実施形態によれば、流体送達システムが提供される。流体送達システムは、内部空洞および排出口を規定する流体ポンプ装置であって、排出口は、内部空洞と流体連通する内側通路を規定する、流体ポンプ装置；および排出口に取り外し可能に取り付けられたコネクタであって、コネクタは、排出口の内側通路内に少なくとも部分的に位置決めされるように構成された中心本体を含み、および中心本体に接続されかつ排出口の外面に解放可能に係合するように構成された環状コネクタ部分を含み、中心本体は、コネクタが排出口に取り付けられるとき、中心本体内に、円錐状本体の内部空洞と流体連通する内側チャンネルを規定する、コネクタを含む。
【００２１】
さらなる詳細および利点は、添付図面と併せて以下の詳細な説明を読むことから理解され、図面では、いくつかの図面を通して、同様の部分には、同様の参照符号が付される。
【図面の簡単な説明】
【００２２】
【図１】本開示の一実施形態によるブラダーシリンジを用いる流体送達システムの側面断面図である。
【図２】図１に示すブラダーシリンジの部分的な分解斜視図である。
【図３】図１に示すブラダーシリンジの縦断面図である。
【図４】本開示の実施形態による、図１のブラダーシリンジおよび流体送達システムと一緒に使用するためのスナップコネクタの上面図である。
【図５】図４のスナップコネクタの正面図である。
【図６】図４のスナップコネクタの側面図である。
【図７】図４のスナップコネクタの上部斜視図である。
【図８】図４のスナップコネクタの下部斜視図である。
【図９】本開示の実施形態による、図１のブラダーシリンジのキャップ、および図４のスナップコネクタの分解斜視図である。
【図１０Ａ】取り付け時の、図９のキャップおよびスナップコネクタの斜視図である。
【図１０Ｂ】本開示の別の実施形態による、図９の排出口およびスナップコネクタを組み込むシリンジアセンブリの斜視図である。
【図１１Ａ】図９のキャップおよびスナップコネクタの分解断面図である。
【図１１Ｂ】本開示の別の実施形態によるキャップおよびスナップコネクタの分解断面図である。
【図１１Ｃ】本開示の別の実施形態によるキャップおよびスナップコネクタの分解断面図である。
【図１１Ｄ】本開示の別の実施形態によるキャップおよびスナップコネクタの分解断面図である。
【図１２】取り付け時の、図９のキャップおよびスナップコネクタの側面断面図である。
【図１３】取り付け時の、図９のキャップおよびスナップコネクタの拡大側面断面図である。
【図１４】取り付け時の、図９のキャップおよびスナップコネクタの上面図である。
【図１５】本開示の実施形態による、図４のスナップコネクタのおよびチューブ要素の上部斜視図である。
【図１６】本開示の実施形態による、図９の排出口およびスナップコネクタを組み込む、コネクタアセンブリの斜視図である。
【発明を実施するための形態】
【００２３】
以下の説明のために、使用されるような空間的定位の用語は、添付図面において向けられているような、またはそうでなければ以下の詳細な説明で説明されるような、言及した実施形態に関する。しかしながら、以下説明する実施形態は、多くの代替的な変形例および構成を取り得ることを理解されたい。添付図面に示されかつ本明細書で説明される具体的な構成要素、装置、および特徴は、単に例示であり、および限定とみなすべきではないことも理解されたい。
【００２４】
図１を参照すると、本開示の実施形態による流体送達システム１０が示されている。流体送達システム１０は、一般に、パワーすなわち動力供給型流体インジェクターヘッド（ｐｏｗｅｒ  ｆｌｕｉｄ  ｉｎｊｅｃｔｏｒ  ｈｅａｄ）１２、例えばＭｅｄｒａｄ，Ｉｎｃ．製のＳｔｅｌｌａｎｔ（登録商標）パワーインジェクタープラットフォーム（ｐｏｗｅｒ  ｉｎｊｅｃｔｏｒ  ｐｌａｔｆｏｒｍ）、および本明細書で詳細に説明するようなブラダーシリンジ２０を含む。医療分野で公知のように、患者の血流に造影剤を注入することによって、Ｘ線、コンピューター断層撮影（ＣＴ）、磁気共鳴（ＭＲ）、または他の医学的な画像モダリティを使用して様々な病変を可視化できる。造影剤の送達は、特定量の造影剤および／または生理食塩水を特定の流量で送達するようにプログラムできるパワーインジェクター、例えばＳｔｅｌｌａｎｔ（登録商標）パワーインジェクターを使用すると、最も効果的かつ効率的である。パワーインジェクターは、脳卒中、心疾患、癌、血管疾患、肉体的な怪我、消化器系障害などの診断に使用され得る。流体インジェクターすなわち流体注入器１２は、２つの線形往復動ピストン要素１４を含み、各ピストン要素は、シリンジ本体内に配置されたシリンジプランジャーと係合するように適合された遠位ピストンインターフェース１６を含む。ピストン要素１４は、ハウジング１８内に閉じ込められており、およびパワーインジェクタープラットフォームおよびそれと一緒に使用されるシリンジ要素の具体的詳細は、Ｒｅｉｌｌｙらへの米国特許第５，３８３，８５８号明細書；Ｈｉｔｃｈｉｎｓらへの同第５，８７３，８６１号明細書；およびＴｒｏｃｋｉらへの同第６，６５２，４８９号明細書において見出され得る。これら文献は、全てＭｅｄｒａｄ，Ｉｎｃ．に譲り受けられており、およびそれぞれ、上述の要素に関する開示に関し、参照されることにより本書に援用される。本開示は、明らかに、造影剤によるブラダーシリンジ２０の利用に限定されるものではなく、患者に送達されるべき任意の薬液または診断用流体に対して使用し得る。
【００２５】
ブラダーシリンジ２０は、同時係属の米国特許出願第１３／４５３，３３５号明細書（Ｍｅｄｒａｄ，Ｉｎｃ．に譲り受けられ、かつその全体が参照されることにより本書に援用される）の図７３Ａ〜７３Ｅに示しかつそれを参照して説明されるタイプの複数構成要素型すなわち複合型の装置である。特に、図１〜３に示すように、ブラダーシリンジ２０は、シリンダー状本体３０と、シリンダー状本体３０内に配置されたプランジャー要素５０と、キャップ−ブラダーアセンブリ１００と、柔軟性脚接続アセンブリ２００と、回転式外側スリーブ３００とを含む。キャップ−ブラダーアセンブリ１００は、上述したような米国特許出願第１３／４５３，３３５号明細書において開示されている実施形態のうちのいずれか１つと同様のタイプとし得る。および、特に、米国特許出願第１３／４５３，３３５号明細書の図４７Ｃに示されかつそれを参照して説明される実施形態と実質的に同様とし得る。
【００２６】
図２、図３、および図１１〜１３に示すように、キャップ−ブラダーアセンブリ１００は、キャップ本体１０４を有するキャップ１０２を含み、キャップ本体は、円錐状キャップ本体１０４を規定するように、円錐形に形成され得る。キャップ本体１０４は、内部空洞１０６を規定する内側面１０５と、キャップ本体１０４の外面に配置される排出口１１０とを有する。ディスク形状のブラダー１５０が、キャップ本体１０４の内部空洞１０６内に配置され、かつキャップ本体１０４の内側面１０５の内周囲に動作可能に接続されている。キャップ本体１０４と共射出成形され得るディスク形状のブラダー１５０は、中心ウェル部分すなわち中心井戸状穴部分１５２を有する膜部分１５１を含む。中心ウェル部分１５２は、厚みのある円周領域１５３によって囲まれている。膜部分１５１は、キャップ本体１０４の内部空洞１０６の内部形状に全体的に一致し、かつ、近位側面１５５に対向する遠位側面１５４を含む。膜部分１５１は、中心ウェル部分１５２と、周囲の厚みのある円周領域１５３とを含み、およびプランジャー要素５０のプロファイルと相互作用するプロファイルまたは形状を規定する。さらに、ブラダー１５０およびキャップ本体１０４は、外周リムまたはフランジ１５６、１０７をそれぞれ有し、それらは、共射出成形プロセスにおいて一体的に接合され得る。代替例として、外周フランジまたはリム１０７、１５６は、他の接合方法、例えば超音波溶接、レーザ溶接、接着接合、および同様の接合技術によって接合され得る。その結果、図３に示すように、キャップ本体１０４の外周リム１０７は、ブラダー１５０の外周リム１５６に接合されるため、この成形された接合部によって複合端部フランジまたはリム１６０が規定される。ブラダーシリンジ２０は、ＣＴ、ＭＲ、および同様の処置において使用するように適合され、および約３００〜４００ｐｓｉの典型的な動作圧力で動作可能であり、およびブラダー１５０は、約２００ｍｌの液量を保持するように拡張し得る。
【００２７】
シリンダー状本体３０は、遠位端部３１および近位端部３９を有するユニタリーの、一般にシリンダー状の本体であり、および一般に再使用可能な構成要素である一方、キャップ−ブラダーアセンブリ１００は、一般に使い捨ての構成要素である。シリンダー状本体３０は、遠位端部３１と近位端部３９との間に貫通孔４２を規定する内部壁４１を有する。シリンダー状本体３０の遠位端部３１は、拡大端部フランジまたはリム３２を含み、拡大端部フランジまたはリムは、内周壁３３および外周壁３４を備え、内周壁と外周壁との間に環状凹部３５を規定する。内周壁３３は、外周壁３４と比較してわずかに高さが高く、およびテーパが付けられている。キャップ−ブラダーアセンブリ１００の複合端部フランジ１６０は、環状凹部３５内に収容されるように構成されている。さらに、２つの軸方向に離間した半径方向フランジ３６、３７が、端部フランジまたはリム３２の軸方向下側においてシリンダー状本体３０に設けられている。一対の軸壁（図示せず）が半径方向フランジ３６と３７との間に延在し、それは、本明細書で説明するように、回転ストッパーの機能を果たす。シリンダー状本体３０の近位端部３９は、流体インジェクターヘッド１２のハウジング１８の前端部に係合するように位置決めされた円周フランジ４０を備えて形成され、流体インジェクターヘッド１２に対してシリンダー状本体３０を適切に載置させる。流体インジェクターにパワーすなわち動力を供給するためにシリンダー状本体３０の近位端部３９を装着するための好適な接続配置構成は、Ｈｉｔｃｈｉｎｓらへの米国特許第７，５４０，８５６号明細書に見出され得、その全体が参照されることにより本書に援用される。
【００２８】
プランジャー要素５０は、米国特許出願第１３／４５３，３３５号明細書に開示された様々な実施形態を参照して説明されたタイプのいずれかとし得る。パワー流体インジェクターヘッド１２によるプランジャー要素５０の動作、およびシリンダー状本体３０およびキャップ−ブラダーアセンブリ１００のディスク形状のブラダー１５０とのその相互作用は、米国特許出願第１３／４５３，３３５号明細書に開示された様々な実施形態を参照して詳細に説明されている。
【００２９】
キャップ−ブラダーアセンブリ１００は、柔軟性脚接続アセンブリ２００および回転式外側スリーブ３００によって、シリンダー状本体３０の遠位端部３１に接続される。柔軟性脚接続アセンブリ２００は、回転式外側スリーブ３００内に配置された複合柔軟性脚内側スリーブ２０１を含む。複合柔軟性脚内側スリーブ２０１は、対向する２つの分割リング半体２０２によって形成された分割リング部品であり、各半体は、複数の遠位方向に延在する接触用柔軟性脚２０３を含む。分割リング半体２０２のそれぞれの内面は、一対の半径方向内側に延在するフランジ２０４、２０５を有し、これらフランジは、シリンダー状本体３０の２つの半径方向外側に延在するフランジ３６、３７に収容されかつそれらの間に挟まれるように適合されている。分割リング半体２０２のそれぞれの外面は、一連の雄ねじ２０６を含む。分割リング半体２０２の対向する自由端部は、摩擦係合に適しており、所望の場合には、２つの分割リング半体２０２を一緒に固定するか、またはロック接続（図示せず）が設けられて自由端部を固定し得る。シリンダー状本体３０上の半径方向フランジ３６と３７との間に延在する一対の軸壁は、対向する分割リング半体２０２の内面の凹部または溝（図示せず）と係合してもよく、およびこの係合は、回転ストッパーの機能を果たし、２つの分割リング半体２０２をシリンダー状本体３０の周りに一体的に接合することによって組み立てられたら、複合柔軟性脚内側スリーブ２０１の回転を防止する。
【００３０】
外側スリーブ３００は、キャップ−ブラダーアセンブリ１００を受け入れるようなサイズにされた開口部３０２を規定する湾曲遠位端部または部分３０１を含み、および複合柔軟性脚内側スリーブ２０１にぴったり合うように適合されている。外側スリーブ３００は、遠位端部または部分３０１から延在する側壁３０３を有し、側壁の軸長は、複合柔軟性脚内側スリーブ２０１を全体的に取り囲むのに十分である。側壁３０３の内面側は、かみ合って対になるねじ山３０４を含み、分割リング半体２０２のそれぞれの外面にある雄ねじ２０６と係合する。外側スリーブ３００は、かみ合うねじ山２０６と３０４との間のねじ係合によって、複合柔軟性脚内側スリーブ２０１に接続される。外側スリーブ３００が内側スリーブ２０１に対して回転すると、外側スリーブ３００は、内側スリーブ２０１に沿って軸方向に下方に引かれるか、または内側スリーブ２０１に沿って軸方向に上方に動く。柔軟性脚接続アセンブリ２００のある開放位置では、外側スリーブ３００は、内側スリーブ２０１に対して、ある半径方向位置において、接触用柔軟性脚２０３をある半径方向に位置決めするような位置にあり、これにより、遠位開口部３０２を通してキャップ−ブラダーアセンブリ１００を挿入でき、かつシリンダー状本体３０に接続できるようにする。この接続または係合においては、キャップ本体１０４の外周リム１０７およびブラダー１５０の外周リム１５６によって規定された複合端部フランジまたはリム１６０は、シリンダー状本体３０の遠位端部３１にある拡大端部フランジまたはリム３２の内周壁３３と外周壁３４との間に規定された環状凹部３５に収容される。この係合を固定するために、内側スリーブ２０１に対して外側スリーブ３００を、例えば時計方向に回転させて、図３に示す閉鎖位置に達するようにし、ここでは、柔軟性脚２０３は、半径方向内側に変位して、複合端部フランジまたはリム１６０に係合し、それによりキャップ−ブラダーアセンブリ１００を適所に固定する。図３に示すように、外側スリーブ３００が時計方向の回転運動することによって、かみ合うねじ山２０６、３０４が外側スリーブ３００を内側スリーブ２０１に沿って軸方向に下方へと引き下げ、そしてこの動きにより、外側スリーブ３００の内側に湾曲した遠位端部または部分３０１を、柔軟性脚２０３のそれぞれにある外側に湾曲した遠位端部２０７と接触させ、かつ柔軟性脚２０３を半径方向内側に撓ませてキャップ−ブラダーアセンブリ１００の複合端部フランジまたはリム１６０に係合させる。外側スリーブ３００の逆方向の回転運動によって、逆方向の運動を生じ、かつ外側スリーブ３００が内側スリーブ２０１に沿って軸方向に上方に動くときに、図３に示すロック位置から柔軟性脚２０３を解放する。柔軟性脚２０３がキャップ−ブラダーアセンブリ１００上の複合端部フランジまたはリム１６０から係合解除されると、キャップ−ブラダーアセンブリ１００は取り外されて、廃棄され得る。柔軟性脚２０３は、外側リング３００の内側に湾曲した遠位端部３０１による作用を受けないときに、解放位置まで動くように、弾力的に可撓性である。柔軟性脚接続アセンブリ２００は多数の利点を有する。例えば、キャップ−ブラダーアセンブリ１００の装填は、無方向性（ｎｏｎ−ｏｒｉｅｎｔａｔｉｏｎ  ｓｐｅｃｉｆｉｃ）であり、および組み立て中に回転させる必要がないため、ブラダー１５０は、トルクまたはねじれ運動を受けない。さらに、柔軟性脚接続アセンブリ２００の全ての構成要素は、製造中にシリンダー状本体３０に永久的に接続されてもよく、およびエンドユーザが組み立てる、緩む部分がない。
【００３１】
図４〜１５を参照すると、本開示の実施形態によるスナップコネクタ４００が示されている。図９〜１４を参照して説明すると、スナップコネクタ４００は、キャップ１０２の排出口１１０に取り外し可能に取り付けられる。本開示は、キャップ−ブラダーアセンブリ１００に関連してスナップコネクタ４００の使用を詳細に説明するが、本開示は、特にこの特定のモダリティ（すなわち、キャップ−ブラダーアセンブリ）に限定されるものではなく、図４〜１５に説明されるものと同様の排出口１１０を有する任意のシリンジシステムまたは流路セットと一緒に使用するように適合され得る。キャップ−ブラダーアセンブリ１００の選択は、排出口１１０によってスナップコネクタ４００を使用するときの接続態様および特徴を示すための例示である。その結果、キャップ１０２は、円錐状キャップ本体１０４および排出口１１０を有してもよく、これは、開放近位端部と、その遠位端部に円錐形の排出領域と、シリンジの円錐形の排出領域から延出する排出口ポートまたは筒とを備える注射筒を備える任意の典型的なシリンジの代表である。さらに、本出願では、用語「スナップ」または「スナップルアー」は、任意の構成の排出口１１０に接続されるときのコネクタ４００の動作を反映するものとし、および本開示内に限定されるとみなすべきではない。
【００３２】
図示の通り、キャップ１０２の排出口１１０は、遠位端部１１２と、キャップ本体１０４の外面に接続された近位端部１１３との間に延在する側壁１１１を含む。側壁１１１は、シリンダー状または実質的にシリンダー状の外部形状を有してもよく、および内側通路１１４を規定する内面を含む。排出口１１０の内側通路１１４は、キャップ本体１０４を通って内側面１０５からキャップ本体１０４の外面まで延在する排出オリフィス１０８によって、内部空洞１０６、それゆえディスク形状のブラダー１５０の膜部分１５１の内部と流体連通している。
【００３３】
図４〜１５に示すように、スナップコネクタ４００は、側壁４０２を有しかつ排出口１１０の内側通路１１４内に少なくとも部分的に位置決めされるように構成される中心本体４０１と、中心本体４０１に接続されかつ排出口１１０の側壁１１１に解放可能に係合するように構成される環状コネクタ部分４２０とを含む。中心本体４０１の側壁４０２は、シリンダー状または実質的にシリンダー状の形状を有し、かつ遠位端部４０４から近位端部４０５まで延在し、かつ中心本体４０１内に内側チャンネル４０３を規定し、内側チャンネルは、中心本体４０１の遠位端部４０４から近位端部４０５まで延在し、かつスナップコネクタ４００が排出口１１０に取り付けられるとき、キャップ本体１０４の内部空洞１０６と流体連通する。図１０Ａ、図１２、および図１３に示すように、中心本体４０１の側壁４０２はまた、スナップコネクタ４００が排出口１１０に取り付けられるとき、排出口１１０の遠位端部１１２を越えて延在する中心本体４０１の遠位部分４０６（図１２）と、排出口１１０の内側通路１１４内に位置決めされる中心本体４０１の近位部分４０７（図１２）とを規定する。
【００３４】
図１１Ａ〜１３に示すように、排出口１１０の内側通路１１４は、排出口１１０の遠位端部１１２から近位端部１１３の方へ内側にテーパが付けられている。円錐状移行表面または内部肩部１１５がまた、内側通路１１４内の排出口１１０の近位端部１１３に規定され、そこでは、内側通路１１４は、キャップ本体１０４の排出オリフィス１０８に接合して、内側通路１１４をキャップ本体１０４の内部空洞１０６と流体連通させるように配置される。スナップコネクタ４００の中心本体４０１の少なくとも近位部分４０７にある側壁４０２はまた、内側に向かってテーパが付けられていて、近位部分４０７が、排出口１１０の内側通路１１４の、内側に向かってテーパが付いている形状に対応するような輪郭になっている。スナップコネクタ４００の中心本体４０１はまた、中心本体４０１の近位端部４０５において規定された狭小先端４０８を含む。中心本体４０１および狭小先端４０８は、狭小先端４０８がキャップ本体１０４の排出オリフィス１０８まで延在し、かつ、流体がディスク形状のブラダー１５０から中心本体４０１の内側チャンネル４０３まで移動するようにスナップコネクタ４００が排出口１１０に接続されるとき、キャップ本体１０４の内側面１０５と実質的に同一平面で終端するように構成される。それに加えてまたはその代わりに、狭小先端４０８は、排出口１１０の近位端部１１３と実質的に同一平面で終端し得る。円錐状フランジまたは外部肩部４０９はまた、中心本体４０１の近位部分４０７にある側壁４０２に規定されて、排出口１１０の内側通路１１４とキャップ本体１０４の排出オリフィス１０８との間の移行表面１１５の輪郭に対応し得る。
【００３５】
キャップ本体１０４および移行表面１１５を形成する排出口１１０の側壁１１１の材料は、移行表面１１５に幾分弾性があり、かつスナップコネクタ４００の中心本体４０１の側壁４０２の外部肩部４０９によって係合されるときに圧縮するような性質とし得ることが認識される。その代わりにまたはそれに加えて、スナップコネクタ４００の中心本体４０１の側壁４０２は、幾分弾性があり、かつ移行表面１１５が外部肩部４０９に係合するときに圧縮するように形成され得る。このようにして、スナップコネクタ４００が排出口１１０に係合するときに生じる、移行表面１１５と外部肩部４０９との間の弾性圧縮係合が、ある種のバネ解放を生じてもよく、これにより、スナップコネクタ４００が排出口１１０から係合解除されるとき、排出口１１０の中心通路１１４からスナップコネクタ４００の中心本体４０１を押し出す働きをする。
【００３６】
さらに、図１１Ａ〜１３および図１５を参照して説明すると、スナップコネクタ４００の中心本体４０１の内側チャンネル４０３の一部分は、図１５に示すように、使い捨て流体セット５００のチューブ要素５０１に解放可能に係合するように構成される雌ルアー継手４１０を規定する。図１５に示すように、スナップコネクタ４００がキャップ１０２の排出口１１０に取り付けられるとき、使い捨て流体セット５００は、このセット５００を、スナップコネクタ４００に規定された雌ルアー継手４１０に接合することによって、ブラダーシリンジ２０に関連付けられ得る。あるいは、使い捨て流体セット５００は、スナップコネクタ４００の一体部分として設けられてもよいし、またはスナップコネクタ４００の中心本体４０１の遠位部分４０６は、雄ルアー継手として構成されてもよく、これが、チューブ要素５０１の端部に形成された雌ルアー継手に挿入され得る。使い捨て流体セット５００は、１つ以上のチューブ要素５０１を含み、チューブ要素は、所望の注入流体を入れる１つ以上のボトルまたは袋と流体連通させてブラダーシリンジ２０を配置するための容器スパイクまたは別の医療用コネクタ要素５０２で終端し得る。
【００３７】
図４〜１４を参照して説明すると、スナップコネクタ４００のコネクタ部分は、スナップコネクタ４００の中心本体４０１に接続されかつ中心本体４０１の近位部分４０７を囲む楕円形コネクタリング４２０の形態の環状コネクタ部分を含む。楕円形コネクタリング４２０は、対向する２つの長軸頂点４２１と、対向する２つの短軸頂点４２２とを含み、かつ楕円形コネクタリング４２０は、少なくとも２つの半径方向におよび近位に延在する湾曲アーム４２３によって中心本体４０１の遠位部分４０６に接続されており、この湾曲アームは、中心本体４０１の遠位部分４０６と楕円形コネクタリング４２０の短軸頂点４２２との間に延在する。図９〜１４に示すように、排出口１１０の側壁１１１は、排出口１１０の遠位端部１１２に規定された円錐状先端１１６を含む。円錐状先端１１６は、排出口１１０の側壁１１１を囲む、近位方向に面した当接面１１８を有するフランジ１１７を規定する。楕円形コネクタリング４２０はまた、楕円形コネクタリング４２０の短軸頂点４２２に位置決めされた少なくとも２つの半径方向内側に延在するフランジ４２４を含む。半径方向内側に延在するフランジ４２４は、遠位方向に面した当接面４２５を規定し、この当接面は、スナップコネクタ４００が排出口１１０に接続されると、排出口１１０の円錐状先端１１６のフランジ１１７のかみ合い対になる当接面１１８と係合して、スナップコネクタ４００と排出口１１０との間の接続を保持する。円錐状先端１１６および半径方向内側に延在するフランジ４２４のかみ合い当接面１１８、４２５は、楕円形コネクタリング４２０の長軸頂点４２１を互いの方へ押圧することによって、それらが係合解除され得るように、構成される。図１４に示すように、矢印Ａの方向に楕円形リテーナリング４２０の長軸頂点４２１を内側に押すことによって、矢印Ｂの方向に短軸頂点４２２を半径方向外側に動かす。そのような方法で、スナップコネクタ４００は、キャップ１０２の排出口１１０から分離されかつ取り外され得る。
【００３８】
図１１Ｂを参照して説明すると、本開示の別の実施形態によれば、キャップ１０２Ｂは、近位方向に面した当接面１２０を有する少なくとも１つの追加的なフランジ１１９を規定する側壁１１１を有する排出口１１０Ｂを備え得る。特に、側壁１１１は、図示の通り、２つの、または、おそらく３個または４個もの追加的なフランジ１１９を規定し得る。少なくとも１つの追加的なフランジ１１９は、排出口１１０Ｂの側壁１１１の遠位端部フランジ１１７の近位に規定される。図１１Ｂに示すように、同様に、スナップコネクタ４００はまた、半径方向に延在するフランジ４２４の近位の短軸頂点４２２においてコネクタリング４２０の内側に位置決めされた１つ以上の追加的なフランジ４２６（仮想線で示す）を含み得る。これらの追加的なフランジ４２６はまた、遠位端部フランジ１１７の当接面１１８、または排出口１１０Ｂに配置された追加的なフランジ１１９の当接面１２０に係合するのに好適な当接面を含む。コネクタ４００および排出口１１０Ｂが、相互に係合可能なフランジ１１７、１１９、４２４、４２６の複数のセットを備えることによって、当接面のフランジのサイズ、特に半径方向の幅／深さ、および保持強さに関連するフランジ１１７、１１９、４２４、４２６の形状の勾配の険しさ（ｓｔｅｅｐｎｅｓｓ）を変化させることができる。換言すると、追加的な相互に係合可能なフランジ１１９、４２６が設けられる場合、排出口１１０Ｂとコネクタ４００との間の接続を適切に維持するために必要なフランジのサイズは縮小され得る。さらに、例えば、下記でさらに説明するように、ルアー接続の許容誤差に起因して軸方向移動を開始するために、追加的なフランジ１１９、４２６は、排出口１１０Ｂに対するコネクタ４００の軸方向の接続位置を変えることができる。
【００３９】
図１１Ｃを参照して説明すると、本開示の別の実施形態によれば、キャップ１０２Ｄは、内側通路１１４Ｄを規定する直線に形成された側壁１１１Ｄを有する排出口１１０Ｄを備え得る。弾性材料から作製されたシーリング部材またはガスケット１２１は、直線の内側通路１１４Ｄに単に挿入されたＯリングとし得るか、または側壁１１１Ｄの内部と一体的に形成されるように共射出成形され得る。ガスケット１２１は、コネクタ４００Ｄの中心本体４０１Ｄの直線のシリンダー状側壁４０２Ｄに係合して、排出口１１０Ｄとコネクタ４００Ｄとの間の封止を確実にする。ガスケット１２１はまた、コネクタ４００Ｄの中心本体４０１Ｄとの係合中に圧縮されるように、排出口１１０Ｄの内側通路１１４Ｄ内に位置決めされ得る。このようにして、ガスケット１２１はまた、下記でさらに詳細に説明するように、コネクタリング４２０が排出口１１０Ｄから係合解除されるとき、バネのように、内側通路１１４Ｄから中心本体４０１Ｄを押し出すまたは押すように機能し得る。特に、ガスケット１２１は、内部肩部１１５に接して排出口１１０Ｄの近位端部１１３に配置されてもよく、コネクタ４００Ｄの外部肩部４０９が「突き合わせ（ｂｕｔｔ）」シールを生じ、この突き合わせシールが軸方向においてガスケット１２１を圧縮し、かつコネクタ４００Ｄの外部肩部４０９に対する抵抗力をもたらして、コネクタ４００Ｄのコネクタリング４２０と排出口１１０Ｄとの間の係合が解放されるときに、コネクタが上方に「跳ねる」ようにできるようにする。あるいは、ガスケット１２１は、排出口１１０Ｄの近位端部１１３と遠位端部１１２との中間に、側壁１１１Ｄの内部表面に沿って内側通路１１４Ｄ内に設けられ、これは、さらに、ガスケット１２１が当接するかみ合い面または領域（図示せず）を組み込み得る。
【００４０】
あるいは、図１１Ｄを参照して説明すると、本開示の別の実施形態によれば、コネクタ４００Ｅが、中心本体４０１Ｅの直線のシリンダー状側壁４０２Ｅの外面に共射出成形されたシーリング部材またはガスケット４２７を備えて形成され得る。ガスケット４２７は、内側通路１１４内でキャップ１０２Ｅの排出口１１０Ｅの直線の内部側壁１１１Ｅと係合して、コネクタ４００Ｅの中心本体４０１Ｅと排出口１１０Ｅとの間の封止を保証する。図１１Ｃおよび図１１Ｄの実施形態のいずれかに関して、本開示の他の実施形態のコネクタ４００と排出口１１０と間の接続は、コネクタ４００および排出口１１０の双方に６％の傾斜で形成された、ある種のルアー接続とし得ることが認識される。コネクタ４００と排出口１１０との間の係合は、２つのプラスチック要素間であることを考慮すると、係合を形成するコネクタ４００と排出口１１０との間には、０．１２５インチの軸方向許容誤差が必要とされる。いくつかの適用例では、そのような許容誤差は、取ることが困難であり、かつ依然として、コネクタ４００と排出口１１０との間のシールを保証し得る。しかしながら、上述の通り、排出口１１０Ｄ、１１０Ｅのシリンダー状側壁１１１Ｄ、１１１Ｅの内面およびコネクタ４００Ｄ、４００Ｅの中心本体４０１Ｄ、４０１Ｅのシリンダー状側壁４０２Ｄ、４０２Ｅの外面が直線に形成され、およびシーリング部材またはガスケット１２１、４２７が一方または他方と共射出されるとき、シールが達成された後の排出口１１０Ｄ、１１０Ｅとコネクタ４００Ｄ、４００Ｅとの間の軸方向許容誤差は必要とされない。排出口１１０Ｄ、１１０Ｅおよびコネクタ４００Ｄ、４００Ｅの互いに対するさらなる軸方向移動は、シールに影響を及ぼさない。
【００４１】
スナップコネクタ４００は、ポリエチレンなどの好適な可撓性または弾性の材料から一体的に成形され、この材料は、スナップコネクタ４００をキャップ１０２の排出口１１０に接続したり分離したりすることに関して、上記で説明したように、曲がることができる一方、ディスク形状のブラダー１５０を加圧したり減圧したりすることで生じる応力を許容し、かつブラダーシリンジ２０へおよびそこから、使い捨て流体セット５００およびスナップコネクタ４００を経由して流体を伝達し得ることが認識される。スナップコネクタ４００およびキャップ１０２の排出口１１０は、スナップコネクタ４００の簡単かつ効率的な接続および排出口１１０からの分離を可能にする様々な相補的な構成に形成され得ることも認識される。さらに、スナップコネクタ４００は、それ自体、任意の好適な構成とし得る。例えば、接続アーム４２３は直線としてもよいし、または短軸頂点４２２ではなく、楕円形コネクタリング４２０の他の部分と接続してもよい。さらに、楕円形コネクタリング４２０は、その代わりに、長円形状、ダイアモンド形状、または何らかの他の形状を有してもよく、それにより、リング４２０の対向する部分を内側に押圧することによって、リング４２０の他の部分を分離させる。
【００４２】
図１〜１５を参照して説明すると、本開示の実施形態によれば、流体送達システム１０のブラダーシリンジ２０に使い捨て流体セット５００のチューブ要素５０１を解放可能に接続する方法は、図１〜３および図９〜１４を参照して上述した通り、シリンダー状本体３０およびキャップ−ブラダーアセンブリ１００を有するブラダーシリンジ２０を提供するステップ；図４〜１５を参照して上述した通り、スナップコネクタ４００を提供するステップ；スナップコネクタ４００の中心本体４０１の内側チャンネル４０３の一部分４１０にチューブ要素５０１を挿入して、中心本体４０１にチューブ要素５０１を解放可能に接続するステップ；キャップ１０２の排出口１１０の内側通路１１４内にスナップコネクタ４００の中心本体４０１の近位部分４０７を位置決めして、中心本体４０１の内側チャンネル４０３がキャップ本体１０４の内部空洞１０６と流体連通するようにするステップ；および排出口１１０の円錐状先端１１６のフランジ１１７の当接面１１８を楕円形コネクタリング４２０の半径方向内側に延在するフランジ４２４の当接面４２５と係合して、スナップコネクタ４００をキャップ１０２の排出口１１０に接続するステップを含む。方法は、長軸頂点４２１において楕円形リテーナリング４２０を内側に押圧して、排出口１１０の円錐状先端１１６のフランジ１１７の当接面１１８から、半径方向内側に延在するフランジ４２４の当接面４２５を係合解除し、かつ排出口１１０からスナップコネクタ４００を分離する追加的なステップを含み得る。
【００４３】
上述の通り、本発明は、上記で詳述したブラダーシリンジ２０のキャップ−ブラダーアセンブリ１００でのスナップコネクタ４００および排出口１１０の使用に限定されない。例えば、図１０Ｂを参照して説明すると、本発明は、実際には、当業者に公知のいずれのシリンジまたは流体ポンプ装置構成とも適合する。図１０Ｂに示すように、基本的なシリンジ／流体ポンプ装置２０Ａは、シリンダー状本体または筒３０Ａと、当業者に周知の方法で筒３０Ａに摺動式に配置されるプランジャーロッドおよびプランジャーを有するプランジャーアセンブリ／ポンプアクチュエータ５０Ａとを含み得る。筒３０Ａの遠位端部１０２Ａは、円錐状遠位壁または本体１０４Ａを備えて形成され、これは、上述の通り、円錐状本体１０４Ａから遠位に延出する排出口１１０と共に排出領域としての機能を果たす。スナップコネクタ４００は、上述の通り、上述の実施形態に従って接続されおよび排出口１１０から分離され得る。その結果、本出願を通して、用語「円錐状本体」は、円錐状キャップだけでなく、円錐状端部から延出する排出口を有するシリンジ本体の典型的な円錐状端部も含むことが認識される。
【００４４】
図１６を参照すると、本開示の別の実施形態によるコネクタアセンブリ６００を示す。コネクタアセンブリ６００は、上述の排出口１１０、１１０Ａ、１１０Ｂと同様の方法で構成される第１のコネクタ要素１１０Ｃを含むが、第１のコネクタ１１０Ｃは、必ずしもキャップまたはシリンジの遠位端部に関連付けらず、その代わりに、例として、チューブ要素６０２の端部に位置決めされ得ることを除く。あるいは、第１のコネクタ１１０Ｃは、治療または診断を目的として患者に流体を送達するいくつもの異なる流体注入装置のいずれか１つの流体流入口または流出口を構成し得る。そのような装置のいくつかの例を、下記で説明する。特に、第１のコネクタは、近位端部１１３と遠位端部１１２との間に延在しかつそれらの間に内側通路１１４を規定する側壁１１１を含む。第２のコネクタ要素４００Ｃは、第１のコネクタ要素１１０Ｃに取り外し可能に取り付けられ得る。第２のコネクタ要素４００Ｃは、他の実施形態を参照して上述したコネクタ４００と同じ構成を有するスナップコネクタである。第２のコネクタ要素４００Ｃは、別のチューブ要素６０１の端部に位置決めされる。第２のコネクタ要素４００Ｃは、第１のコネクタ要素１１０Ｃの内側通路１１４内に少なくとも部分的に位置決めされるように構成された中心本体４０１を含む。中心本体４０１は、中心本体４０１に対する環状コネクタ部分／コネクタリング４２０を含む。環状コネクタ部分４２０は、第２のコネクタ要素４００Ｃが第１のコネクタ要素１１０Ｃに取り付けられるときに、第１のコネクタ要素１１０Ｃの側壁１１１の外面に解放可能に係合するように構成される。中心本体４０１は、第２のコネクタ要素４００Ｃが第１のコネクタ要素１１０Ｃに取り付けられるときに、第１のコネクタ要素１１０Ｃの内側通路１１４と流体連通する中心本体４０１内に内側チャンネル４０３（図１６には図示せず、例として図１１Ａ参照）を規定する。その結果、本開示は、コネクタ４００とシリンジ２０、２０Ａとの間の係合に限定されず、任意のチューブ要素６０１と６０２との間、または当業者によって想定されるような他の同様の流体伝達部品間に共通の接続を形成するときにも利用され得ることが認識される。さらに、コネクタアセンブリ６００の第１のコネクタ要素１１０Ｃおよび第２のコネクタ要素４００Ｃは、図１１Ｂを参照して上述した通り、第１のコネクタ要素の側壁１１１に規定された複数の追加的なフランジ１１９および環状コネクタ部分／リング４２０に規定された複数の追加的なフランジ４２６を有することを含む、上記で詳述した実施形態のいずれかに従って形成され得ることが認識される。
【００４５】
本発明の別の態様では、第２の／スナップコネクタ４００Ｃは、ベローズシリンジの一部として使用されるベローズ部材の排出口を構成し、かつ２０１２年４月２０日出願の米国仮特許出願第６１／６３６，０４９号明細書（「Ｂｅｌｌｏｗｓ  Ｓｙｒｉｎｇｅ  Ｆｌｕｉｄ  Ｄｅｌｉｖｅｒｙ  Ｓｙｓｔｅｍ」）（この開示は、その全体が参照されることにより本書に援用され、現在、２０１３年３月１５日出願の米国特許出願第１３／８３４，６２４号明細書であり、この全体も、参照されることにより本書に援用される）に開示されているベローズシリンジなどのベローズシリンジの、排出口を構成する第１のコネクタ１１０Ｃまたはキャップ本体に接続され得る。あるいは、そのようなシリンジのベローズ部材は、排出口を備える半剛体の自立型容器であるため、第２のコネクタ４００Ｃは、ベローズ部材／容器の排出口を構成する第１のコネクタ１１０Ｃに直接取り付け得る。
【００４６】
本発明のさらに別の態様では、第２のコネクタ４００Ｃは、２０１２年９月２０日出願の国際出願第ＰＣＴ／ＵＳ２０１２／０５６３６４号明細書、２０１２年９月２０日出願の同第ＰＣＴ／ＵＳ２０１２／０５６３２８号明細書、および２０１２年９月２０日出願の同第ＰＣＴ／ＵＳ２０１２／０５６３５５号明細書（これら全てが、本明細書で記載されたかのように、参照されることにより本書に援用される）のいずれか１つに開示されているタイプの流体ポンプ装置の任意の１つの出口または入口または複数の出口または入口を構成する第１のコネクタ１１０Ｃと関連付けて使用され得る。
【００４７】
流体コネクタ４００が使用され得るシリンジおよび関連のパワードすなわち動力供給型流体注入（ｐｏｗｅｒｅｄ  ｆｌｕｉｄ  ｉｎｊｅｃｔｉｏｎ）または送達システムの詳細は、現在、２００６年８月２２日に米国特許第７，０９４，２１６号明細書として交付されかつ本出願の譲受人に譲り受けられた、２００１年１０月１８日出願の米国特許出願第０９／９８２，５１８号明細書（以下「‘２１６号特許」）に見出され得る（この開示は、その全体が参照されることにより本書に援用される）。流体コネクタ４００が使用され得るシリンジおよび流体送達システムの追加的な例はまた、以下の参照文献において開示されている：現在、２００９年７月７日に米国特許第７，５５６，６１９号明細書として交付された、２００４年４月１６日出願の米国特許出願第１０／８２５，８６６号明細書（以下「‘６１９号特許」）；Ｓｃｈｒｉｖｅｒらへ２０１２年１２月２５日に交付された、米国特許第８，３３７，４５６号明細書；Ｓｐｏｈｎらへ２０１２年４月３日に交付された米国特許第８，１４７，４６４号明細書；現在、２００８年４月１０日の米国特許出願公開第２００８／００８６０８７号明細書として公開された、米国特許出願第１１／００４，６７０号明細書；現在、１９９５年１月２４日に米国特許第５，３８３，８５８号明細書として交付された、１９９２年８月１７日出願の米国特許出願第０７／９２９，９２６号明細書；および現在、２００８年１２月９日に米国特許第７，４６２，１６６号明細書として交付された、２００３年７月１６日出願の米国特許出願第１０／４６６，４１８号明細書（これらはそれぞれ、本出願の譲受人に譲り受けられ、およびこれら開示は、それら全体が参照されることにより本書に援用される）。
【００４８】
流体コネクタ４００が使用され得るシリンジを開示する、好適なマルチシリンジパワード流体インジェクター（ｍｕｌｔｉ−ｓｙｒｉｎｇｅ  ｐｏｗｅｒｅｄ  ｆｌｕｉｄ  ｉｎｊｅｃｔｏｒ）は、２０１２年１月２４日出願の米国特許出願第１３／３８６，７６５号明細書に説明されており、この文献は、米国特許出願公開第２０１２／０１２３２５７号明細書として公開され、および本出願の譲受人に譲り受けられており、その開示全体が参照されることにより本書に援用される。流体コネクタ４００が使用され得るシリンジを開示する、他の関連のマルチ流体送達システムは、２００２年５月３０日出願の米国特許出願第１０／１５９，５９２号明細書（米国特許出願公開第２００４／００６４０４１号明細書として公開されている）、および２００３年１１月２５日出願の米国特許出願第１０／７２２，３７０号明細書（米国特許出願公開第２００５／０１１３７５４号明細書として公開されている）に開示されており、それら各々は、本出願の譲受人に譲り受けられており、およびそれらの開示全体が参照されることにより本書に援用される。
【００４９】
流体コネクタ４００が使用され得る例示的なハンドマニホールド（ｈａｎｄ  ｍａｎｉｆｏｌｄ）が、２０１３年１月３１日出願の米国特許出願第１３／７５５，８８３号明細書に開示されており、本出願の譲受人に譲り受けられており、その開示が参照されることにより本書に援用される。さらに、流体コネクタ４００が使用され得る好適なシリンジは、Ｓｃｈｒｉｖｅｒらへの米国特許出願公開第２００９／０２１６１９２号明細書において見出され、本出願の譲受人に譲り受けられており、およびその開示全体が参照されることにより本書に援用され得る。
【００５０】
シリンジシステム、例えば本開示の様々な図に示すブラダーシリンジシステムと一緒に使用するためのコネクタアセンブリ、およびその動作方法の実施形態が、上記の説明で提供されたが、当業者は、本発明の範囲および趣旨から逸脱せずに、これらの実施形態に修正および変更を行い得る。その結果、上記の説明は、限定ではなく、説明を意図する。上記で説明した様々な実施形態は、添付の特許請求の範囲によって定義され、および特許請求の範囲と等価の意味および範囲内にある全ての変更例は、その範囲内に含まれる。
【符号の説明】
【００５１】
１０  流体送達システム
１２  パワー流体インジェクターヘッド、流体インジェクターヘッド、流体注入器、動力供給型流体インジェクターヘッド
１４  ピストン要素、線形往復動ピストン要素
１６  遠位ピストンインターフェース
１８  ハウジング
２０  ブラダーシリンジ、シリンジ
３０  シリンダー状本体
３１  遠位端部
３２  リム
３３  内周壁
３４  外周壁
３５  環状凹部
３６  フランジ、半径方向フランジ
３７  フランジ、半径方向フランジ
３９  近位端部
４０  円周フランジ
４１  内部壁
４２  貫通孔
５０  プランジャー要素
１００  キャップ−ブラダーアセンブリ
１０２  キャップ
１０４  円錐状キャップ本体、キャップ本体
１０５  内側面
１０６  内部空洞
１０８  排出オリフィス
１１０  排出口
１１１  側壁
１１２  遠位端部
１１３  近位端部
１１４  内側通路、中心通路
１１５  移行表面、内部肩部
１１６  円錐状先端
１１７  遠位端部フランジ、フランジ
１１８  当接面
１１９  フランジ
１２０  当接面
１２１  ガスケット
１５０  ブラダー
１５１  膜部分
１５２  中心ウェル部分、中心井戸状穴部分
１５３  円周領域
１５４  遠位側面
１５５  近位側面
２００  柔軟性脚接続アセンブリ
２０１  複合柔軟性脚内側スリーブ、内側スリーブ
２０２  分割リング半体
２０３  接触用柔軟性脚、柔軟性脚
２０４  フランジ
２０５  フランジ
２０７  遠位端部
３００  回転式外側スリーブ、外側リング、外側スリーブ
３０１  遠位端部
３０２  遠位開口部、開口部
３０３  側壁
４００  流体コネクタ、コネクタ、スナップコネクタ
４０１  中心本体
４０２  側壁
４０３  内側チャンネル
４０４  遠位端部
４０５  近位端部
４０６  遠位部分
４０７  近位部分
４０８  狭小先端
４０９  外部肩部
４２０  リング、コネクタリング、楕円形リテーナリング、楕円形コネクタリング、環状コネクタ部分
４２１  長軸頂点
４２２  短軸頂点
４２３  湾曲アーム、接続アーム
４２４  フランジ
４２５  当接面
４２６  フランジ
４２７  ガスケット
５００  セット、流体セット
５０１  チューブ要素
５０２  医療用コネクタ要素
６００  コネクタアセンブリ
６０１  チューブ要素
６０２  チューブ要素
【図１】
0006401234.tif 000002
【図２】
0006401234.tif 000003
【図３】
0006401234.tif 000004
【図４】
0006401234.tif 000005
【図５】
0006401234.tif 000006
【図６】
0006401234.tif 000007
【図７】
0006401234.tif 000008
【図８】
0006401234.tif 000009
【図９】
0006401234.tif 000010
【図１０Ａ】
0006401234.tif 000011
【図１０Ｂ】
0006401234.tif 000012
【図１１Ａ】
0006401234.tif 000013
【図１１Ｂ】
0006401234.tif 000014
【図１１Ｃ】
0006401234.tif 000015
【図１１Ｄ】
0006401234.tif 000016
【図１２】
0006401234.tif 000017
【図１３】
0006401234.tif 000018
【図１４】
0006401234.tif 000019
【図１５】
0006401234.tif 000020
【図１６】
0006401234.tif 000021